(57)【要約】【課題】低コスト化が図られた、市販化済みの機器にも後付けで追加できる簡便な構成で、複数電圧の電線を簡単に分配し、保護することが可能な電線保護部材を提供する。【解決手段】電線保護部材２０は、弾性を有するシート状材料で構成され、電線３１、３２を包含し得る筒形状に形成可能であるとともに着脱が自在な係止片２１及びその係合孔２２と、電線３２の挿通が可能な切り込み部２３とを備える。これにより、筒形状に形成したシートの内側に電線３１、３２を挿通させることができ、シート状材料一枚で簡単に複数の電線３１、３２をまとめて配線し、保護することができる。また、係止片２１と係合孔２２とを着脱することで、筒形状を形成したり、それを解除したり、組み立てが容易であるので、電線３１、３２の出し入れも簡単である。そして、切り込み部２３を利用して電線３１、３２を分配することも可能である。【選択図】図７
2010057259.tif 000002
【特許請求の範囲】
【請求項１】
弾性を有するシート状材料で構成され、
電線を包含し得る筒形状に形成可能であるとともに着脱が自在な係止片及びその係合孔と、電線の挿通が可能な少なくとも１箇所の切り込み部とを備えることを特徴とする電線保護部材。
【請求項２】
前記切り込み部に連続して、穴部を備えることを特徴とする請求項１に記載の電線保護部材。
【請求項３】
電線が接続する基板に係合させて取り付けるための取り付け穴を備え、前記係止片及び前記係合孔を係合させて形成した筒形状の内部に前記基板を包含することを特徴とする請求項１または請求項２に記載の電線保護部材。
【請求項４】
前記シート状材料は、絶縁性材料で構成されていることを特徴とする請求項１〜請求項３のいずれか１項に記載の電線保護部材。
【請求項５】
請求項１〜請求項４のいずれか１項に記載の電線保護部材を備えたことを特徴とする原稿搬送装置。
【発明の詳細な説明】
【技術分野】
【０００１】
本発明は、複数の電線の、雑然とした状態を回避しながら、外力による破損に対して保護することが可能な電線保護部材に関する。また、この電線保護部材を搭載した原稿搬送装置に関する。
【背景技術】
【０００２】
オフィスや家庭などで使用される電子機器には、動作を制御するための様々な電子部品や機能部材が必要であり、複写機やプリンタに代表される画像形成装置も例外ではない。それらのうち、電子部品は、動作制御に必要なパターンが予め形成されたプリント基板にまとめて搭載、接合されている。また、機能部材は、その動作対象となる他部材の近傍に配置されていることが多い。そして、電子部品を擁する制御基板と機能部材との間は、複数の電線によって接続され、電源の供給や信号の授受が行われている。
【０００３】
上記のような電線は、複数の電線が雑然とした状態となるのを回避しながら、外力による破損に対して保護するため、電子機器の内部構造部材であるベースフレームなどにしっかりとまとめて保持されている。電子機器内部において電線を保持する電線保持部材の例を、特許文献１及び２に見ることができる。特許文献１及び２に記載された電線保持部材は、合成樹脂などで構成された結束材であって、この結束材が電線を保持しながら電子機器のフレームに取り付けられている。このような結束材によって電線を保持し、保護する方法は、比較的容易に実施することができ、汎用性があるので、従来一般的に利用され、様々な機器において採用されている。
【０００４】
しかしながら、上記のような電線保持部材は、複数の電線を整然と所望の箇所で保持するために、多数の結束材が必要となる。これにより、部品コストが増加し、組み立て工数及び手間も増加することが懸念される。また、隣り合う結束材の間は比較的広範囲において電線が露出しているので、フレームに他の部材を取り付けたり、外装カバーを開閉したりすることで、その箇所において電線が破損する恐れがある。そこで、このような問題を解決すべく、結束材を用いることなく複数の電線をまとめて配線、保護することができる手法が提案され、その一例を特許文献３に見ることができる。
【特許文献１】特許第３６８１６８０号公報（第３−４頁、図１−２）
【特許文献２】特開２００２−２４０３９３号公報（第３−４頁、図１）
【特許文献３】特開２００６−２３０１４９号公報（第３−４頁、図１−３）
【発明の開示】
【発明が解決しようとする課題】
【０００５】
特許文献３に記載された線材保護部材は、溝を備える樋形状の細長い本体部に、長手方向に沿って延びる切り込みを備える弾性を有する蓋部を設け、この蓋部を弾性変形させながら、切り込みから本体部内に対して電線を出し入れすることにより、結束材を用いることなく複数の電線をまとめて配線して、保護することができ、電線の出し入れも容易である。しかしながら、この構成は、複数の電線の配線し易さ、及び保護という観点から有利であるものの、本体部及び蓋部に関して部品コストが掛かるので、コストアップの問題を解消できていない。
【０００６】
また、電子機器の電線は、比較的電圧の高い電源供給系の電線と、比較的電圧の低い信号系の電線とが備えられていることが多い。このような複数の電線をまとめて配線するに当たって、電源供給系の電線から発せられるノイズによる悪影響が信号系の電線に及ぶのを回避する方法を考慮する必要がある。しなしながら、この問題に関して、特許文献３に記載された線材保護部材では格別な配慮がなされていない。これにより、信号に不良が生じ、電子機器の誤動作を引き起こす恐れがある。ノイズによる悪影響を回避するためには、複数の線材保護部材が必要となり、さらにコストアップする可能性がある。
【０００７】
そして、この線材保護部材を電子機器で利用する場合、線材保護部材を取り付けるためのモールドを機器のフレームなどに予め設けておく必要がある。これにより、電子機器が大型化する恐れがあり、それに起因するコストアップも懸念される。さらに、市販化された既存の製品に後付けで追加することが非常に困難である。
【０００８】
本発明は上記の点に鑑みなされたものであり、低コスト化が図られた、市販化済みの機器にも後付けで追加することが可能な簡便な構成で、複数電圧の電線を簡単に分配し、保護することが可能な電線保護部材を提供することを目的とする。また、このような電線保護部材を備え、組み立て性及びメンテナンス性が向上し、さらに安全性が高められた原稿搬送装置を提供することを目的とする。
【課題を解決するための手段】
【０００９】
上記の課題を解決するため、本発明は、電線保護部材において、弾性を有するシート状材料で構成され、電線を包含し得る筒形状に形成可能であるとともに着脱が自在な係止片及びその係合孔と、電線の挿通が可能な少なくとも１箇所の切り込み部とを備えることとした。
【００１０】
また、上記構成の電線保護部材において、前記切り込み部に連続して、穴部を備えることとした。
【００１１】
また、上記構成の電線保護部材において、電線が接続する基板に係合させて取り付けるための取り付け穴を備え、前記係止片及び前記係合孔を係合させて形成した筒形状の内部に前記基板を包含することとした。
【００１２】
また、上記構成の電線保護部材において、前記シート状材料は、絶縁性材料で構成されていることとした。
【００１３】
また本発明では、上記構成の電線保護部材を原稿搬送装置に備えることとした。
【発明の効果】
【００１４】
本発明の構成によれば、電線保護部材が、弾性を有するシート状材料で構成され、電線を包含し得る筒形状に形成可能であるとともに着脱が自在な係止片及びその係合孔と、電線の挿通が可能な少なくとも１箇所の切り込み部とを備えることとしたので、筒形状に形成したシートの内側に電線を挿通させることができる。これにより、シート状材料一枚で簡単に複数の電線をまとめて配線し、保護することができる。また、係止片と係合孔とを着脱することで、筒形状を形成したり、それを解除したり、組み立てが容易であるので、電線の出し入れも簡単である。そして、切り込み部を利用して電線を分配することも可能であるので、電圧の異なる複数の電線をできるだけ離隔して配線することができる。また、電子機器のフレーム形状に柔軟に対応できるので、電線保護部材の配置スペースをできるだけ小さくすることが可能であって、市販化された既存の製品に後付けで追加することも容易である。そして、柔軟なシート状材料は、電線を締め付けることがないので、電源の供給や信号の授受に悪影響を与えるようなストレスが電線に掛かるのを防止することが可能である。このようにして、低コスト化が図られた、市販化済みの機器にも後付けで追加することが可能な簡便な構成で、複数電圧の電線を簡単に分配し、保護することが可能な電線保護部材を提供することができる。
【００１５】
また、前記切り込み部に連続して、穴部を備えることとしたので、切り込み部を挿通させた電線を一層しっかりと保持することができる。これにより、電圧の異なる複数の電線を離隔する作用が高められ、電源供給系の電線から発せられるノイズによる悪影響が信号系の電線に及ぶのを回避する効果を向上させることが可能である。したがって、低コスト化が図られた簡便な構成で、電子機器の誤動作の発生を抑制することができる。
【００１６】
また、電線が接続する基板に係合させて取り付けるための取り付け穴を備え、前記係止片及び前記係合孔を係合させて形成した筒形状の内部に前記基板を包含することとしたので、電線と制御基板とを一緒に保護することができる。これにより、電子機器において、電線だけではなく制御基板も、その周辺に他の部材を取り付けたり、外装カバーを開閉したりすることなどに起因する破損から保護することが可能である。また、電線保護部材が意図せず電線に沿って移動するのを防止することができ、電線保護部材の位置決めを行うことが可能である。したがって、電線や制御基板を保護する効果が一層向上する。
【００１７】
また、前記シート状材料は、絶縁性材料で構成されていることとしたので、包含する電線が外部から受ける電気的な悪影響を回避する作用を高めることができる。したがって、物理的な外力による破損に加えて、電気的な障害の発生も防止することができ、一層効果的に電線を保護することが可能である。
【００１８】
また本発明では、上記構成の電線保護部材を原稿搬送装置に備えることとしたので、低コスト化が図られた、市販化済みの機器にも後付けで追加することが可能な簡便な構成の電線保護部材で、複数電圧の電線を簡単に分配し、保護することが可能になり、組み立て性及びメンテナンス性が向上し、さらに安全性が高められた原稿搬送装置を提供することができる。
【発明を実施するための最良の形態】
【００１９】
以下、本発明の実施形態を図１〜図９に基づき説明する。
【００２０】
最初に、本発明の第１の実施形態に係る電線保護部材を備えた原稿搬送装置について、図１〜図３を用いてその構造の概略を説明する。図１は原稿搬送装置の模型的垂直断面正面図、図２は原稿搬送装置の背面側上方から見た斜視図、図３は図２と同様の原稿搬送装置の背面側上方から見た斜視図にして、背面カバーを取り外した状態を示すものである。図１中の実線矢印は、用紙の搬送経路、及び搬送方向を示す。なお、本発明の実施形態に係る原稿搬送装置は、画像形成装置である複写機、ファクシミリ、または複写機やファクシミリ等の機能を兼ね備えた複合機の上部に搭載された原稿搬送装置として設計されたものとする。
【００２１】
原稿搬送装置１は、図１及び図２に示すように、原稿載置トレイ２、原稿送り部１０、及び原稿排出トレイ３を備えている。
【００２２】
原稿載置トレイ２は、原稿搬送装置１の上部に設けられている。原稿載置トレイ２には、原稿を上方から載置して、積み上げることができる。原稿載置トレイ２は、原稿搬送方向の上流から下流、すなわち図１において右方から左方に向かって下る傾斜をなす構成となっている。
【００２３】
原稿送り部１０は、原稿載置トレイ２の原稿搬送方向下流端に、原稿供給口１１と、給紙装置１２とを備えている。給紙装置１２は、原稿載置トレイ２に積み上げられた原稿を、最上層から１枚ずつ分離し、原稿供給口１１を通して原稿送り部１０の内部に向かって供給する。原稿供給口１１の下流側には、原稿送り部１０の内部、下方に向かって原稿搬送路１３が延びている。
【００２４】
原稿搬送路１３の先は、原稿搬送装置１の底面に到達し、この箇所に原稿読取部１４が設けられている。原稿読取部１４に送り込まれた原稿は、原稿搬送路１３上をさらに下流側へ、すなわち図１において原稿読取部１４の箇所を左方から右方へと移動する最中に、その下方に設けられた画像形成装置本体の画像読取装置（図示せず）により、下側の面である第１面の画像データが読み取られる。
【００２５】
原稿搬送路１３の、原稿読取部１４の下流には、原稿分岐部１５が設けられている。原稿の、表裏両面の画像データの読み取りが必要な場合、原稿分岐部１５に到達した原稿は、原稿搬送路１３の上方へと振り分けられ、その原稿搬送方向下流側に続く原稿反転部１６にて搬送方向が切り替えられる。搬送方向が切り替えられた原稿は、原稿分岐部１５の上側を経て、原稿読取部１４の上流側の原稿搬送路１３に送り込まれ、再度原稿読取部１４で第２面の画像データが読み取られる。
【００２６】
原稿分岐部１５の下流であって、原稿搬送路１３の下流端には、原稿排出口１７が設けられている。画像データの読み取りが済んだ原稿は、原稿排出口１７から原稿排出トレイ３に排出される。
【００２７】
原稿排出トレイ３は、原稿載置トレイ２のすぐ下方に備えられ、これらのトレイが上下二段にして構成されている。原稿排出トレイ３に排出された原稿は、原稿搬送装置１の手前側から取り出すことができる。
【００２８】
原稿載置トレイ２と、原稿排出トレイ３とは、互いの原稿搬送方向を逆にして、すなわち図１において原稿載置トレイ２は原稿を左方に向かって送り出し、原稿排出トレイ３は原稿を右方に向かって排出する形にして構成されている。これにより、原稿供給口１１と原稿排出口１７とが、原稿読取部１４が存在する方向に対して各トレイの同じ側、すなわち図１において左側に設けられている。そして、原稿供給口１１から原稿排出口１７まで延びる前記原稿搬送路１３は、図１に示すように、上下方向にＵ字形状に、すなわち正面から見てＵ字形状に湾曲した形で設けられている。
【００２９】
上記構成により、原稿搬送装置１は、原稿載置トレイ２に積み上げられた原稿を、一枚ずつ分離して原稿送り部１０内に送り込み、原稿読取部１４でその画像データを読み取った後、原稿排出トレイ３に排出する。
【００３０】
また、原稿送り部１０は、その上側に、図２に示すように、開閉カバー１８を備えている。開閉カバー１８は、図２における装置の右端、すなわち正面から見た装置の左端の箇所に設けられた、原稿幅方向に略水平に延びる支軸（図示せず）の軸線を中心として、原稿載置トレイ２側を持ち上げるようにして開放することが可能である。この開閉カバー１８を開放することにより、装置内部に形成される原稿搬送路１３の、原稿載置トレイ２に近い側であって、装置上側に位置する箇所を部分的に露出させることができる。
【００３１】
そして、原稿搬送装置１は、その背面側に、外装カバーである背面カバー４を備えている。背面カバー４は原稿搬送装置１の背面側の箇所ほとんどをカバーする部材であって、これを取り外すと、原稿搬送装置１は図３に示す形態となる。原稿搬送装置１の背面カバー４の内部には、原稿搬送の中核をなすメインモータ５、給紙のために使用される給紙用モータ６、原稿分岐部１５で原稿を振り分ける際に使用されるソレノイド７、原稿搬送装置１自体及び開閉カバー１８の開放状態を検知する開閉検知装置８、及び電線保護部材２０が備えられている。
【００３２】
続いて、この原稿搬送装置１の電線保護部材２０の詳細な構成について、図３に加えて、図４〜図７を用いて説明する。図４は電線保護部材の斜視図、図５は電線保護部材の展開図、図６は電源保護部材の垂直断面側面図、図７は電源保護部材の垂直断面正面図にして、内部に電線を配線した状態を示すものである。
【００３３】
電線保護部材２０は、前述のように原稿搬送装置１の背面側の箇所に設けられ（図３参照）、同様にその近傍に設けられたメインモータ５、給紙用モータ６、ソレノイド７、及び開閉検知装置８といった機能部材に対して電源供給、信号授受を行うための電線をまとめて配線し、保護するためのものである。電線保護部材２０は、ＰＥＴ（ポリエチレンテレフタレート）などの弾性を有する絶縁性のシート状材料で構成され、図４に示すように、丸めることによって円筒形状に形成されている。そして、電線保護部材２０は、図４及び図５に示すように、係止片２１、係合孔２２、切り込み部２３、及び穴部２４を備えている。
【００３４】
係止片２１は、図５に示すように、電線保護部材２０の本体端部から外側に突出する形で設けられ、円筒形状に形成した電線保護部材２０の長手方向中央部に１個配置されている。係止片２１は、先端部２１ａが根元部２１ｂより大きいＴ字形形状をなしている。
【００３５】
係合孔２２は、係止片２１に対応した反対側の箇所に、係止片２１同様１個が設けられている。係合孔２２は、挿通部２２ａと、係合部２２ｂとを備えたＴ字形形状をなしている。挿通部２２ａは係止片２１の先端部２１ａ及び根元部２１ｂの挿通が可能な大きさをなし、係合部２２ｂは根元部２１ｂの挿通が可能であるが、先端部２１ａが引っ掛かり、挿通不可能な大きさをなしている。これにより、図６に示すように係止片２１を係合孔２２に挿入して係合させることで、シート状の電線保護部材２０を、図４及び図７に示すように電線３１、３２を包含し得る円筒形状に形成することが可能である。また、この電線保護部材２０の内部は、電線３１、３２の先端に各々設けられたコネクタ３１ａ、３２ａも挿通させることができる。なお、係止片２１と係合孔２２とは着脱が自在である。
【００３６】
切り込み部２３は、図４及び図５に示すように、円筒形状に形成した電線保護部材２０の長手方向に沿って延び、電線保護部材２０の内面から外面まで貫通する形にして形成されている。電線保護部材２０が弾性を有するシート状材料で形成されているので、この切り込み部２３周辺の箇所を弾性変形させることにより、図７に示すように切り込み部２３を通して電線３２を出し入れすることが可能である。なお、切り込み部２３は、電線保護部材２０の長手方向に比較的長い長さで形成されているので、電線３２の先端に設けられたコネクタ３２ａも挿通することが可能である。
【００３７】
穴部２４は、切り込み部２３に連続する形で設けられている。穴部２４は、円形状をなし、切り込み部２３同様、電線保護部材２０の内面から外面まで貫通している。これにより、図７に示すように穴部２４で電線３２を保持することが可能である。
【００３８】
上記のように、電線保護部材２０が、弾性を有するシート状材料で構成され、電線３１、３２を包含し得る筒形状に形成可能であるとともに着脱が自在な係止片２１及びその係合孔２２と、電線３２の挿通が可能な切り込み部２３とを備えているので、筒形状に形成したシートの内側に電線３１、３２を挿通させることができる。これにより、シート状材料一枚で簡単に複数の電線３１、３２をまとめて配線し、保護することができる。また、係止片２１と係合孔２２とを着脱することで、筒形状を形成したり、それを解除したり、組み立てが容易であるので、電線３１、３２の出し入れも簡単である。そして、切り込み部２３を利用して電線３１、３２を分配することも可能であるので、電圧の異なる複数の電線３１、３２をできるだけ離隔して配線することができる。また、原稿搬送装置１のフレーム形状に柔軟に対応できるので、電線保護部材２０の配置スペースをできるだけ小さくすることが可能であって、市販化された既存の製品に後付けで追加することも容易である。そして、柔軟なシート状材料は、電線３１、３２を締め付けることがないので、電源の供給や信号の授受に悪影響を与えるようなストレスが電線３１、３２に掛かるのを防止することが可能である。このようにして、低コスト化が図られた、市販化済みの機器にも後付けで追加することが可能な簡便な構成で、複数電圧の電線３１、３２を簡単に分配し、保護することが可能な電線保護部材２０を提供することができる。
【００３９】
また、切り込み部２３に連続して、穴部２４を備えているので、切り込み部２３を挿通させた電線３２を一層しっかりと保持することができる。これにより、電圧の異なる複数の電線３１、３２を離隔する作用が高められ、電源供給系の電線から発せられるノイズによる悪影響が信号系の電線に及ぶのを回避する効果を向上させることが可能である。したがって、低コスト化が図られた簡便な構成で、原稿搬送装置１の誤動作の発生を抑制することができる。
【００４０】
さらに、電線保護部材２０のシート状材料は、ＰＥＴなどの絶縁性材料で構成されているので、包含する電線３１、３２が外部から受ける電気的な悪影響を回避する作用を高めることができる。したがって、物理的な外力による破損に加えて、電気的な障害の発生も防止することができ、一層効果的に電線３１、３２を保護することが可能である。
【００４１】
また本発明では、上記構成の電線保護部材２０を原稿搬送装置１に備えたので、低コスト化が図られた、市販化済みの機器にも後付けで追加することが可能な簡便な構成の電線保護部材２０で、複数電圧の電線３１、３２を簡単に分配し、保護することが可能になり、組み立て性及びメンテナンス性が向上し、さらに安全性が高められた原稿搬送装置１を提供することができる。
【００４２】
次に、本発明の第２の実施形態に係る電線保護部材の詳細な構成について、図８及び図９を用いて説明する。図８は電線保護部材の展開図、図９は電源保護部材の垂直断面正面図にして、内部に電線を配線した状態を示すものである。なお、この実施形態の基本的な構成は、図１〜図７を用いて説明した前記第１の実施形態と同じであるので、第１の実施形態と共通する構成要素には前と同じ符号を付し、説明は省略するものとする。
【００４３】
第２の実施形態に係る電線保護部材２０は、図８及び図９に示すように、係止片２１、係合孔２２、切り込み部２３、及び穴部２４に加えて、取り付け穴２５を備えている。なお、切り込み部２３、及び穴部２４は、各々２箇所ずつ設けられている。
【００４４】
取り付け穴２５は、図８に示すように、電線保護部材２０の端部に２箇所設けられている。この取り付け穴２５には、図９に示すように、電線３３、３４が接続する制御基板９の脚部９ａが挿通されている。これにより、電線保護部材２０は、制御基板９の箇所からの移動が阻止されている。
【００４５】
そして、電線保護部材２０は、円筒形上に形成されたその内部に、複数の電線３３〜３７が挿通され、制御基板９も包含している。２箇所の切り込み部２３、及び穴部２４には、電線３６、３７が別々にして挿通されている。
【００４６】
このようにして、電線保護部材２０は、電線３３、３４が接続する制御基板９に係合させて取り付けるための取り付け穴２５を備え、係止片２１及び係合孔２２を係合させて形成した筒形状の内部に制御基板９を包含するので、電線３３、３４と制御基板９とを一緒に保護することができる。これにより、原稿搬送装置１において、電線だけではなく制御基板９も、その周辺に他の部材を取り付けたり、外装カバーを開閉したりすることなどに起因する破損から保護することが可能である。また、電線保護部材２０が意図せず電線に沿って移動するのを防止することができ、電線保護部材２０の位置決めを行うことが可能である。したがって、電線３３〜３７や制御基板９を保護する効果が一層向上する。
【００４７】
以上、本発明の実施形態につき説明したが、本発明の範囲はこれに限定されるものではなく、発明の主旨を逸脱しない範囲で種々の変更を加えて実施することができる。
【産業上の利用可能性】
【００４８】
本発明は、電線全般に対して利用可能である。
【図面の簡単な説明】
【００４９】
【図１】本発明の第１の実施形態に係る電線保護部材を備えた原稿搬送装置の模型的垂直断面正面図である。
【図２】図１の原稿搬送装置の背面側上方から見た斜視図である。
【図３】図２と同様の原稿搬送装置の背面側上方から見た斜視図にして、背面カバーを取り外した状態を示すものである。
【図４】図３の電線保護部材の斜視図である。
【図５】図３の電線保護部材の展開図である。
【図６】図３の電線保護部材の垂直断面側面図である。
【図７】図６の電源保護部材の垂直断面正面図にして、内部に電線を配線した状態を示すものである。
【図８】本発明の第２の実施形態に係る電線保護部材の展開図である。
【図９】図８の電源保護部材の垂直断面正面図にして、内部に電線を配線した状態を示すものである。
【符号の説明】
【００５０】
１    原稿搬送装置
２    原稿載置トレイ
３    原稿排出トレイ
４    背面カバー
９    制御基板（基板）
２０  電線保護部材
２１  係止片
２２  係合孔
２３  切り込み部
２４  穴部
２５  取り付け穴
３１〜３７  電線
３１ａ、３２ａ  コネクタ
【図１】
2010057259.tif 000003
【図２】
2010057259.tif 000004
【図３】
2010057259.tif 000005
【図４】
2010057259.tif 000006
【図５】
2010057259.tif 000007
【図６】
2010057259.tif 000008
【図７】
2010057259.tif 000009
【図８】
2010057259.tif 000010
【図９】
2010057259.tif 000011